(57)【要約】【課題】商品の採寸を容易なものとする。また、採寸された情報が商品に反映されると共に、商品の販売サイトに表示するのに適した商品画像を生成する。【解決手段】商品販売支援装置１は、撮影部１３により商品を撮影する。画像生成部１４により、撮影された商品の撮影画像が生成されると、測定処理部１７は、撮影された商品について所定の部位の寸法を測定する。画像生成部１４はさらに、撮影画像と、測定された寸法に基づき、測定された寸法が商品に表記された商品画像を生成する。【選択図】図１
2020107015.tif 000002
【特許請求の範囲】
【請求項１】
商品の販売を支援する装置であって、
上記商品を撮影する撮影手段と、
撮影した上記商品の撮影画像を生成する第一の画像生成手段と、
撮影した上記商品について、所定の部位の寸法を測定する測定処理手段と、
上記撮影画像と、測定された寸法に基づき、測定された寸法が上記商品に表記された商品画像を生成する第二の画像生成手段と、を有する、
商品販売支援装置。
【請求項２】
上記撮影手段は、上記商品と共に、上記商品の寸法を測定するためのマーカーを撮影し、
上記第一の画像生成手段は、撮影した上記商品と上記マーカーからなる撮影画像を生成し、
上記測定処理手段は、予め保持する上記マーカーの寸法情報に基づき、上記商品の所定の部位の寸法を測定する、
請求項１記載の商品販売支援装置。
【請求項３】
上記撮影画像中の上記マーカーに対し、内容を判別不能とする編集を施す編集手段、をさらに有し、
上記第二の画像生成手段は、上記マーカーに内容を判別不能とする編集が施された上記撮影画像と、測定された寸法に基づき、測定された寸法が上記商品に表示された商品画像を生成する、
請求項２記載の商品販売支援装置。
【請求項４】
所定の商品販売サイトに上記商品画像をアップロードするアップロード手段、をさらに有する、
請求項１乃至３いずれかの項に記載の商品販売支援装置。
【請求項５】
上記商品のカテゴリーごとに、測定する寸法の種類を記憶するカテゴリー情報記憶手段と、
上記商品のカテゴリーの選択情報を受け付ける選択情報受付手段と、をさらに有し、
上記測定処理手段は、上記カテゴリー情報記憶手段を参照して、撮影した商品について、選択された上記商品のカテゴリーに応じた寸法を測定する、
請求項１乃至４いずれかの項に記載の商品販売支援装置。
【請求項６】
上記商品のカテゴリーごとに、測定する寸法の種類を記憶するカテゴリー情報記憶手段と、
上記撮影した商品のカテゴリーを判別する判別処理手段と、をさらに有し、
上記測定処理手段は、上記カテゴリー情報記憶手段を参照して、撮影した商品について、判別された上記商品のカテゴリーに応じた寸法を測定する、
請求項１乃至４いずれかの項に記載の商品販売支援装置。
【請求項７】
少なくとも二点間を結ぶ線分であって、所定の部位の寸法を示す線分を上記撮影画像中の商品に重畳的に表示させると共に、当該線分の位置を編集可能に表示させる寸法表示手段と、
上記線分の位置の調整を受け付けると共に、当該調整を受け付けた後の線分を上記所定の部位の寸法とする調整手段と、をさらに有し、
上記第二の画像生成手段は、上記撮影画像と、位置が調整された線分からなる寸法に基づき、当該調整された線分からなる寸法が上記商品に表記された商品画像を生成する、
請求項１乃至６いずれかの項に記載の商品販売支援装置。
【請求項８】
撮影画像に補正処理を施す補正処理手段、をさらに有する、
請求項１乃至７いずれかの項に記載の商品販売支援装置。
【請求項９】
商品の販売を支援する方法であって、
コンピュータが、
上記商品を撮影する撮影処理と、
撮影した上記商品の撮影画像を生成する第一の画像生成処理と、
撮影した上記商品について、所定の部位の寸法を測定する測定処理と、
上記撮影画像と、測定された寸法に基づき、測定された寸法が上記商品に表記された商品画像を生成する第二の画像生成処理と、を実行する、
商品販売支援方法。
【請求項１０】
商品の販売を支援するためのコンピュータプログラムであって、
コンピュータに対し、
上記商品を撮影する撮影処理と、
撮影した上記商品の撮影画像を生成する第一の画像生成処理と、
撮影した上記商品について、所定の部位の寸法を測定する測定処理と、
上記撮影画像と、測定された寸法に基づき、測定された寸法が上記商品に表記された商品画像を生成する第二の画像生成処理と、を実行させる、
コンピュータプログラム。
【発明の詳細な説明】
【技術分野】
【０００１】
本発明は、商品の販売に適した商品画像を生成することにより、商品の販売を支援する技術に関する。
【背景技術】
【０００２】
従来、スマートデバイスが広く普及すると共に、ネットオークションやオンラインのフリーマーケットサービスを提供するウェブサイトが多く提供されてきたことから、個人間での商品売買が活発になっている。
通常、そのようなウェブサイトに商品を出品する場合、出品者は商品の画像をウェブページに載せ、商品の内容を分かりやすく伝える。また、例えば商品が服であれば、服の寸法などの必要な情報も合わせて表示し、出品者は購入してもらいやすいように工夫する。
【０００３】
しかしながら、購入してもらいやすいように商品の情報を表示するためには、商品の寸法を測ったり、商品の画像を生成した後、一旦これを記憶したりと、所定のウェブサイトにあげるといった手間がかかり、面倒であった。
【０００４】
この点、例えば、特許文献１では、ユーザ端末の画面上に衣服の商品一覧を表示して衣服を販売するインターネットを利用したカタログ販売システムにおいて、ユーザ本人の体全体を撮影してユーザの３次元イメージ画像を求め、求めた３次元イメージ画像から衣服選択時に必要となる各種データを採取し、採取したユーザの各種データと前記３次元イメージ画像とを予めユーザデータベースに保存登録するユーザ情報取得端末と、前記ユーザが、前記ユーザ端末の画面上で前記商品一覧から衣服を選択すると、前記ユーザデータベースから前記ユーザの前記各種データと３次元イメージ画像とを取得して、衣服データベースから前記ユーザに合ったサイズの衣服を選択し、選択された衣服をユーザ本人の３次元イメージ画像上で着用させた動画を作成し、作成した動画を前記ユーザ端末の画面上に表示させるサーバと、を備えることを特徴とするインターネットを利用したカタログ販売システムが提案されている。
また、特許文献２では、測定補助部材を、被服に対応する身体部位に装着して行われる被服用体格寸法測定方法であって、体格寸法に応じて位置間隔が変化する複数の測定標識を備え、測定部位及び／ 又は体格寸法に適合する測定補助部材を選択して装着する測定補助部材装着行程と、上記測定補助部材を装着した身体の二次元画像を撮影する撮影行程と、上記二次元画像から上記測定補助部材の装着部位を検出する装着部位検出行程と、選択した上記測定補助部材を特定する測定補助部材特定行程と、上記二次元画像から上記測定標識間の距離を測定する標識間距離測定行程と、上記標識間距離測定行程において求めた標識間距離と、上記測定補助部材特定行程において特定された上記測定補助部材の基準寸法とから、上記測定補助部材を装着した部位の被服用体格寸法を求める体格寸法算出行程とを含む、被服用体格寸法測定方法が提案されている。
【先行技術文献】
【特許文献】
【０００５】
【特許文献１】特開２００３−２８８５０５号公報
【特許文献２】特開２００４−３６０１３１号公報
【発明の概要】
【発明が解決しようとする課題】
【０００６】
上記特許文献１、２記載の技術を応用すれば、商品の採寸を正確になし得るが、商品画像や商品の情報を商品販売用のウェブサイトに表示することが想定されていない。また、採寸を自動的に行うにしても、個人が簡単且つ手軽に行えるようにする必要がある。
【０００７】
そこで、本発明は、商品の採寸を容易に行えるようにすると共に、採寸した情報を商品に反映させ、商品の販売サイトに表示するのに適した商品画像を生成することを目的とする。
【課題を解決するための手段】
【０００８】
上記目的を達成するため、本発明の一の観点に係る商品販売支援装置は、商品の販売を支援する装置であって、上記商品を撮影する撮影手段と、撮影した上記商品の撮影画像を生成する第一の画像生成手段と、撮影した上記商品について、所定の部位の寸法を測定する測定処理手段と、上記撮影画像と、測定された寸法に基づき、測定された寸法が上記商品に表記された商品画像を生成する第二の画像生成手段と、を有する。
【０００９】
また、上記撮影手段は、上記商品と共に、上記商品の寸法を測定するためのマーカーを撮影し、上記第一の画像生成手段は、撮影した上記商品と上記マーカーからなる撮影画像を生成し、上記測定処理手段は、予め保持する上記マーカーの寸法情報に基づき、上記商品の所定の部位の寸法を測定するものとしてもよい。
【００１０】
また、上記撮影画像中の上記マーカーに対し、内容を判別不能とする編集を施す編集手段、をさらに有し、上記第二の画像生成手段は、上記マーカーに内容を判別不能とする編集が施された上記撮影画像と、測定された寸法に基づき、測定された寸法が上記商品に表示された商品画像を生成するものとしてもよい。
【００１１】
また、所定の商品販売サイトに上記商品画像をアップロードするアップロード手段、をさらに有するものとしてもよい。
【００１２】
また、上記商品のカテゴリーごとに、測定する寸法の種類を記憶するカテゴリー情報記憶手段と、上記商品のカテゴリーの選択情報を受け付ける選択情報受付手段と、をさらに有し、上記測定処理手段は、上記カテゴリー情報記憶手段を参照して、撮影した商品について、選択された上記商品のカテゴリーに応じた寸法を測定するものとしてもよい。
【００１３】
また、上記商品のカテゴリーごとに、測定する寸法の種類を記憶するカテゴリー情報記憶手段と、上記撮影した商品のカテゴリーを判別する判別処理手段と、をさらに有し、上記測定処理手段は、上記カテゴリー情報記憶手段を参照して、撮影した商品について、判別された上記商品のカテゴリーに応じた寸法を測定するものとしてもよい。
【００１４】
また、少なくとも二点間を結ぶ線分であって、所定の部位の寸法を示す線分を上記撮影画像中の商品に重畳的に表示させると共に、当該線分の位置を編集可能に表示させる寸法表示手段と、上記線分の位置の調整を受け付けると共に、当該調整を受け付けた後の線分を上記所定の部位の寸法とする調整手段と、をさらに有し、上記第二の画像生成手段は、上記撮影画像と、位置が調整された線分からなる寸法に基づき、当該調整された線分からなる寸法が上記商品に表記された商品画像を生成するものとしてもよい。
【００１５】
また、撮影画像に補正処理を施す補正処理手段、をさらに有するものとしてもよい。
【００１６】
また、本発明の別の観点に係る商品販売支援方法は、商品の販売を支援する方法であって、コンピュータが、上記商品を撮影する撮影処理と、撮影した上記商品の撮影画像を生成する第一の画像生成処理と、撮影した上記商品について、所定の部位の寸法を測定する測定処理と、上記撮影画像と、測定された寸法に基づき、測定された寸法が上記商品に表記された商品画像を生成する第二の画像生成処理と、を実行する。
【００１７】
また、本発明のさらに別の観点に係るコンピュータプログラムは、商品の販売を支援するためのコンピュータプログラムであって、コンピュータに対し、上記商品を撮影する撮影処理と、撮影した上記商品の撮影画像を生成する第一の画像生成処理と、撮影した上記商品について、所定の部位の寸法を測定する測定処理と、上記撮影画像と、測定された寸法に基づき、測定された寸法が上記商品に表記された商品画像を生成する第二の画像生成処理と、を実行させる。
なお、コンピュータプログラムは、インターネット等のネットワークを介したダウンロードによって提供したり、ＣＤ−ＲＯＭなどのコンピュータ読取可能な各種の記録媒体に記録して提供したりすることができる。
【発明の効果】
【００１８】
本発明によれば、商品の採寸を容易なものとすることができる。また、採寸された情報が商品に反映されると共に、商品の販売サイトに表示するのに適した商品画像が生成される。
【図面の簡単な説明】
【００１９】
【図１】本発明の第一の実施形態に係る商品販売支援装置が備える機能を示した機能ブロック図である。
【図２】本実施形態に係る商品販売支援装置において、カテゴリー情報記憶部に記憶されるデータの一例を示した図である。
【図３】本実施形態に係る商品販売支援装置において、商品情報記憶部に記憶されるデータの一例を示した図である。
【図４】本実施形態に係る商品販売支援装置によって実行される処理の流れを示したシーケンス図である。
【図５】本実施形態に係る商品販売支援装置において生成される撮影画像の一例を示した模式図である。
【図６】本実施形態に係る商品販売支援装置において、撮影画像が表示された画面の一例を示した図である。
【図７】本実施形態に係る商品販売支援装置において、撮影画像中の商品に寸法を示す線分を重畳的に表示させた例を示した図である。
【図８】本実施形態に係る商品販売支援装置において、撮影画像中の商品に重畳的に表示された寸法を示す線分が編集される様子を模式的に説明する図であって、（ａ）編集前、（ｂ）編集後を示す。
【図９】本実施形態に係る商品販売支援装置において、商品画像を用いて商品の出品を指示する際の画面の一例を示した図である。
【図１０】本実施形態に係る商品販売支援装置において、商品が出品された商品販売サイトのウェブページの一例を示した図である。
【図１１】本発明の第二の実施形態に係る商品販売支援装置が備える機能を示した機能ブロック図である。
【図１２】本実施形態に係る商品販売支援装置によって実行される処理の流れを示したシーケンス図である。
【発明を実施するための形態】
【００２０】
本発明の実施形態に係る商品販売支援装置１について、図を参照して説明する。
本実施形態に係る商品販売支援装置１は、ユーザが商品販売サイト上で商品を販売するのを支援する装置であって、商品販売サイト上での商品の販売に適した商品画像として、商品の寸法が表示された画像を生成することができる。
なお、本実施形態において、商品は売買取引のできるものであれば特定の物に限られないが、以下の実施例では、個人間での売買を想定し、商品が服（古着）である場合に基づいて説明する。
【実施例１】
【００２１】
＜機能構成＞
本発明の第一の実施形態に係る商品販売支援装置１について詳述する。
図１に示されるように、商品販売支援装置１は、所謂パーソナルコンピュータやタブレット端末、データ通信可能な携帯型電話機などによって実現され、CPU（Central Processing Unit）などの演算装置、RAM（Random Access Memory）やROM（Read Only Memory）などの記憶装置により、カテゴリー情報記憶部１１、商品情報記憶部１２、撮影部１３、画像生成部１４、補正処理部１５、編集部１６、測定処理部１７、寸法表示部１８、調整部１９、入出力部２０、及び通信処理部２１からなる機能部を備える。
【００２２】
なお、商品販売支援装置１の機能構成について、機能部の一部又は全てが一のアプリケーションを構成し、当該アプリケーションが所定の端末にインストールされて商品販売支援装置１を構成するものであってもよいし、各機能部が所定の端末と外部サーバに分けて保持され、当該所定の端末と外部サーバが一体的に商品販売支援装置１を構成するものであってもよく、ソフトウェア資源あるいはハードウェア資源の集約や分散は適宜に設計することができる。
【００２３】
また、商品販売支援装置１は、インターネット等のネットワークＮＷを介して、ネット上で商品の販売を行うショップサーバＳＶと通信可能に構成されている。
ショップサーバＳＶは、所定の商品販売サイトを運営しており、出品依頼を受け付けた商品を当該当該所定の商品販売サイトに出品させる。
【００２４】
カテゴリー情報記憶部１１は、商品のカテゴリーごとに、測定する寸法の種類を記憶する記憶部である。即ち、商品たる服の寸法には、裾幅や肩幅、着丈など、様々な寸法があるが、トップスやボトムスといった服の種類に応じて測定あるいは観念される寸法が異なる。そのため、服に応じてどのような寸法があり、服のどの部分が所定の寸法に該当するのかを把握可能とする情報が必要であり、かかる情報がカテゴリー情報記憶部１１に記憶されている。
【００２５】
このカテゴリー情報記憶部１１には例えば、図２に示されるように、服のカテゴリーごとに、寸法の種類と測定部位に係る情報が記憶されている。
【００２６】
商品情報記憶部１２は、ユーザの商品に関する情報を記憶する記憶部である。
この商品情報記憶部１２には例えば、図３に示されるように、商品に関する情報として、商品を識別可能な商品ＩＤごとに、商品が属するカテゴリー、商品の寸法、画像生成部１４によって生成された商品画像を記憶することができる。
なお、このほかの商品情報として、商品を撮影した際の撮影画像や、ユーザから受け付た、商品の出品の際の情報なども記憶することができる。
【００２７】
撮影部１３は、ＣＣＤカメラなどによって実現され、商品を被写体として撮影を行う。
また、本実施形態においては、商品を撮影する際、商品と共に商品の寸法を測定するためのマーカーを撮影する。ここで、マーカーは、商品の寸法を測定するための基準となるものであり、クレジットカードなど、誰もが所有しており、一定の寸法からなるものが好適に用いられる。
【００２８】
画像生成部１４は、撮影部１３による商品とマーカーの撮影に応じて、当該商品とマーカーが写された撮影画像を生成する。さらに、この撮影画像と、測定処理部１７によって測定された商品の寸法に基づき、測定された寸法が商品に表記された商品画像を生成する。
なお、撮影画像に含まれるマーカーには、編集部１６によってその内容を判別不能とする編集が施され、商品画像においても、マーカーにはその内容を判別不能とする編集が施された状態となっている。
また、撮影画像は、商品画像を生成するために一時的に生成される画像であって、必ずしもそれ自体が所定のファイル形式で抽出可能である必要はないが、このことは撮影画像を抽出可能とすることを妨げるものではなく、任意の仕様に設計し得る。
【００２９】
補正処理部１５は、画像生成部１４によって生成された撮影画像に補正処理を施す。補正処理は、撮影の仕方等に起因した撮影画像の不具合あるいは乱れ等をソフトウェア的な処理によって補正するもので、例えば、投写面が被写体に対して斜めになることで発生した台形状の歪みを補正する台形補正などが行われる。
【００３０】
編集部１６は、撮影画像中のマーカーに対し、内容を判別不能とする編集を施す。内容を判別不能とする編集とは例えば、撮影画像中、クレジットカード等によって構成されるマーカーが存する部分への色の上塗りや消去のほか、当該部分を他の画像（広告画像や背景画像、あるいはユーザが指定する画像等）に置き換えてもよい。
これにより、マーカーとしてクレジットカード等、個人情報のような秘匿が望ましい情報が記載されたものを用いた場合であっても、その情報が公開等されることなく、安心して商品画像を利用して商品を販売できる。
【００３１】
測定処理部１７は、予め保持するマーカーの寸法情報に基づき、撮影画像中の商品の所定の部位の寸法を測定する測定処理を実行する。
測定処理においては、予めユーザから商品のカテゴリーの選択を受け付けておき、カテゴリー情報記憶部１１を参照して、選択されたカテゴリーに従って測定されるべき寸法を測定する。さらに、予め参照用テーブルに保持するマーカーの実寸大の寸法情報に基づき、撮影画像中に含まれるマーカーの縮尺を算出し、これに基づいて実寸に即した商品の寸法が求められる。
また、測定処理部１７は、後述する調整部１９により、撮影画像中の商品に重畳的に表示された寸法を示す線分が調整された場合に、調整後の寸法を改めて測定する。
これにより、撮影画像中の商品の実際の寸法が正確に把握される。
【００３２】
寸法表示部１８は、撮影画像中の商品の寸法が測定された後、少なくとも二点間を結ぶ線分であって、所定の部位の寸法を示す線分を撮影画像中の商品に重畳的に表示させる。
これにより、どの寸法がどの部分にあたるのかが見た目にも分かりやすい。
なお、少なくとも二点間を結ぶ線分とは、端部と端部を結ぶ線である限り、三点以上の点を結んでなる線であってもよいことを意味し、所定の位置で折曲した線も含む。これにより、線分は折れ線のごとく表示及び調整可能とされ、商品たる服の肩から手首に至るような折れ曲がったラインについても、当該ラインに寸法を示す線分を沿わせ、正確な寸法を表示することができる。
【００３３】
調整部１９は、撮影画像中、寸法表示部１８によって商品上に重畳的に表示された寸法を示す線分の位置について、ユーザからの調整を受け付ける。さらに、ユーザから当該線分の位置の調整を受け付けると、調整を受け付けた後の線分を所定の部位の寸法とする。
これにより、例えば、寸法表示部１８によって表示された寸法を示す線分にずれがあった場合でも、ずれを修正し、正しい寸法の位置を示したり、正しい寸法を把握したりすることができる。
なお、寸法表示部１８によって表示される線分は複数の点を結んでなるところ、各点の位置を調整することにより、寸法が示すラインを服の形状に沿って折曲等させることができる。
【００３４】
入出力部２０は、ユーザから各種のデータの入力を受け付ける入力部と、各種のデータを出力する出力部とによって構成される。
この入出力部２０は例えば、入力部と出力部が一体となったタッチパネル式ディスプレイによって実現できるほか、テンキーやキーボードなどの入力部と液晶ディスプレイなどの出力部とによって実現することもできる。
【００３５】
通信処理部２１は、インターネット等のネットワークＮＷを介してショップサーバＳＶと通信可能とする機能部である。
この通信処理部２１により、ショップサーバＳＶに商品画像を含む商品情報を送信し、ショップサーバＳＶによって展開されている商品販売サイトに商品画像をアップロードすることができる。
【００３６】
＜処理の流れ＞
続いて、本実施形態に係る商品販売支援装置１において、一連の処理の流れについて、図４を参照して説明する。
まず、ユーザが販売したい商品のカテゴリーを選択するのに応じて、カテゴリーの選択情報を受け付ける（Ｓ１０１）。
【００３７】
次に、ユーザによる操作の下、撮影部１３によって商品がマーカーと共に撮影されると（Ｓ１０２）、画像生成部１４によって撮影画像が一時的に生成される（Ｓ１０３）。
これに応じて、測定処理部１７は、撮影画像中の商品の所定の部位の寸法を測定する（Ｓ１０４）。即ち、ユーザが選択した商品のカテゴリーに基づき、カテゴリー情報記憶部１１を参照して、選択されたカテゴリーに従って測定されるべき寸法を測定する。さらに、予め所定のテーブルに保持するマーカーの実寸大の寸法情報に基づき、撮影画像中に含まれるマーカーの縮尺を算出し、商品の寸法の縮尺を実寸に即したものとする。
【００３８】
また、寸法の測定と同時に、編集部１６は撮影画像中のマーカーに対し、内容を判別不能とする編集を施し（Ｓ１０５）、補正処理部１５は撮影画像に補正処理を施す（Ｓ１０６）
寸法の測定と編集が行われると、寸法表示部１８は、所定の部位の寸法を示す線分を撮影画像中の商品に重畳的に表示させる（Ｓ１０７）。
【００３９】
入出力部２０によって出力された撮影画像を確認したユーザの任意により、商品に重畳的に表示された寸法を示す線分の位置を調整する操作が行われると（Ｓ１０８）、調整部１９は操作に従って当該線分の位置の調整を行う（Ｓ１０９）。
これに応じて測定処理部１７は、調整後の寸法を改めて測定する（Ｓ１１０）。
【００４０】
任意の寸法測定箇所の調整が完了すると、画像生成部１４により、マーカーが編集された撮影画像と、測定処理部１７によって測定された商品の寸法に基づき、測定された寸法が商品に表記された商品画像が生成される（Ｓ１１１）。
生成された商品画像は商品情報記憶部１２に記憶される（Ｓ１１２）。
【００４１】
商品販売支援装置１から、商品販売サイトへの商品の出品要求と共に、商品画像を含む商品情報がショップサーバＳＶに送信されると（Ｓ１１３）、ショップサーバＳＶはこれに応じて、商品情報に基づいて商品を商品販売サイトに出品する（Ｓ１１４）。
【００４２】
なお、以上の工程については、一部の工程をショップサーバＳＶ側に担わせるようにすることもできる。例えば、Ｓ１１１以降の工程について、商品画像の生成（Ｓ１１１）や商品画像の記憶（Ｓ１１２）に必要な情報をショップサーバへ送信し、商品画像の生成と記憶をショップサーバＳＶに実行させるようにすることもできる。
【００４３】
＜ＵＩ＞
続いて、本実施形態に係る商品販売支援装置１による処理に基づいて展開される画面の例について説明する。
図５は、ユーザが商品とマーカーを撮影した後、画像生成部１４によって生成された撮影画像１００ａを模式的に示している。
撮影画像１００ａには、商品１０１とマーカー１０２ａが写っている。本例において、マーカー１０２ａにはクレジットカードが用いられており、撮影した時点の撮影画像１００ａにおいては、クレジットカードに表記されたクレジットカード番号や名義人情報といった情報が写っている。
【００４４】
図６は、商品販売支援装置１において、入出力部２０によって出力された画面の一例であって、撮影画像１００ａに対し、編集部１６による編集が施された状態を示している。
この画面例では、撮影画像１００ｂ中、マーカー１０２ｂが編集部１６によって黒塗りされており、その内容が判別不能になっている。なお、撮影画像１００ｂ中の商品１０１には適宜、補正処理部１５によって補正処理が施されている。
また、画面上には、保存ボタン１０３、採寸ボタン１０４、出品ボタン１０５が設けられており、ユーザは各ボタンを操作して所望の処理を要求することができるようになっている。
【００４５】
図７は、ユーザによって採寸ボタン１０４が押下されたのに応じて、測定処理部１７により、商品たる服の採寸が実行された後の画面を示している。
この画面例では、寸法表示部１８により、商品１０１上に寸法を示す線分が複数、重畳的に表示されている。また、各線分が示す寸法の詳細を示す寸法表示欄１０６が設けられている。寸法を示す線分は互いに識別可能となるように表示されており、本例では点線や一点鎖線といった種類の異なる破線によって識別可能としているが、これに限らず、異なる配色によって識別可能とするなど、他の方法によることもできる。
なお、採寸ボタン１０４にかかわらず、撮影後は自動的に採寸を行い（即ち、図６に示す画面を介在させることなく）、採寸が実行された後の画面を出力するようにしてもよい。
【００４６】
ここで、図８により、商品１０１上に重畳的に表示された、寸法を示す線分の調整を受け付けた場合の処理を説明する。
ユーザは、寸法を示す線分の両端のいずれかを任意の位置に動かすことができ、ここでは、図８（ａ）から図８（ｂ）へ遷移するとおり、裾幅を示す線分について、図示左側の端部が下方且つ左に僅かに移動させられている。これにより、図８（ａ）では、裾幅を示す線分が斜めになっていた不具合が調整され、図８（ｂ）のとおり裾幅が正しく示されている。また、ユーザから寸法を示す線分の位置の調整を受け付けると、測定処理部１７は当該線分の長さを測定し、調整後の長さを寸法表示欄１０６の該当する寸法に反映させる。
【００４７】
適宜に寸法の調整が行われた後、ユーザが保存ボタン１０３を押下すると、寸法を示す線分、商品１０１、寸法表示欄１０６によって構成された商品画像１００ｃが生成され、商品情報記憶部１２に記憶される。
なお、本例においては、商品画像１００ｃは一例であって、寸法表示欄１０６を別途設けず、寸法を示す線分のそばに該当する寸法を表示してもよく、商品と寸法を把握できる画像となっていればよい。
【００４８】
また、出品ボタン１０５が押下されると、図９に示す画面に遷移する。
この画面は、実際に商品を出品する前に、その内容を確認したり、必要な情報を入力したりする画面であり、商品のカテゴリー入力欄１０７、配送料の負担の種類を選択する選択欄１０８、販売価格の入力欄１０９、任意に商品説明を入力できる商品説明入力欄１１０、所定の商品販売サイトに実際に商品を出品させる出品ボタン１１１が設けられている。
なお、商品のカテゴリー入力欄１０７については、ユーザが先にカテゴリーを選択しているため、設けたいものとしてもよいほか、ユーザが先に選択したカテゴリーがデフォルト表示されているようにしてもよく、図９の例ではそのようなデフォルト表示を行っている。
また、各入力欄は一例であり、例示したもの以外の情報入力欄を設けることもできる。
【００４９】
図１０は、出品ボタン１１１が押下され、所定の商品販売サイトに商品が出品された状態を示している。
この商品販売サイト上には、商品画像１００ｄが表示されると共に、商品説明を表示する商品説明表示欄１１２が設けられている。
さらに、商品の購入希望者が商品の購入手続きを進むための購入手続きボタン１１３が設けられており、商品の購入希望者が購入手続きボタン１１３を押下すると、商品の支払いや送付先などの入力を経て商品を購入する。
【００５０】
なお、出品ボタン１１１による商品の出品については、商品販売支援装置１と連携する所定の所定の商品販売サイトへの出品となるが、商品画像を記憶しておき、当該商品画像を利用することで、商品販売支援装置１とは連携していない他の商品販売サイトへの商品の出品の際に、当該商品画像を用いることもできる。
【００５１】
以上の本実施形態に係る商品販売支援装置１によれば、誰でも持ち合わせているようなものをマーカーにして、商品の採寸を容易に行うことができる。また、商品の販売サイトに表示するのに適した商品画像として、採寸された情報が商品に反映されると共に、マーカーに付されている情報が判別不能とされものを生成することができる。さらに、生成した商品画像を用いて、商品を手軽に商品販売サイトに出品することができる。
【実施例２】
【００５２】
次に、本発明の第二の実施形態に係る商品販売支援装置について説明する。
本例では、第一の実施形態と異なり、商品のカテゴリーが自動的に判別される。
このような実施例に係る商品販売支援装置２は図１１に示されるように、第一の実施形態に係る商品販売支援装置１と同様に、カテゴリー情報記憶部１１、商品情報記憶部１２、撮影部１３、画像生成部１４、補正処理部１５、編集部１６、測定処理部１７、寸法表示部１８、調整部１９、入出力部２０、及び通信処理部２１を備えるほか、判別処理部２２を備えている。
【００５３】
判別処理部２２は、商品の撮影画像から商品のカテゴリーを自動的に判別する。即ち、第一の実施形態においては、ユーザから商品のカテゴリーの選択を受け付け、これにより商品のカテゴリーが特定されたが、本例では、この判別処理部による処理に基づいて商品のカテゴリーが判別される。
この判別処理部は、所謂ＡＩによって実現され、商品のカテゴリーに応じた商品の形状を学習し、これにより撮影画像中の商品のカテゴリーを判別することができる。
【００５４】
続いて、このような判別処理部２２を備えた商品販売支援装置２による処理の流れについて、図１２を参照して説明する。
まず、ユーザによる操作の下、撮影部１３によって商品がマーカーと共に撮影される（Ｓ２０１）。これに応じて画像生成部１４は、撮影画像を生成する（Ｓ２０２）。
【００５５】
判別処理部２２は、撮影画像中の商品の形状を識別し、商品のカテゴリーを判別する（Ｓ２０３）。
商品のカテゴリーが判別されると、測定処理部１７は、カテゴリー情報記憶部１１を参照し、商品のカテゴリーに沿って測定すべき寸法を把握した上、撮影画像中の商品の所定の部位の寸法を測定する（Ｓ１０４）。
以降、第一の実施形態において、図４を参照して説明したのと同様に、Ｓ１０５〜Ｓ１１４の処理が実行され、商品が所定の商品販売サイトに出品されることになる。
【００５６】
以上の本実施形態に係る商品販売支援装置２によれば、商品のカテゴリーが自動的に判別されるため、ユーザにとって、カテゴリーを選択するという手間が省かれて便利である。
【００５７】
なお、以上の本発明の実施形態においては、商品が服である場合を例にとって説明したが、商品は服に限られず、バッグなどのファッションアイテム等、寸法を表示することが有用なものについては、好適に用いられる。
また、種類の異なる商品について本発明を適用可能とする場合、上述した判別処理部２２による判別処理では、商品の種類を判別した上で、種類に応じた商品のカテゴリーを判別するとよい。
【００５８】
また、以上の本発明の実施形態においては、ユーザが商品を撮影したのに応じて、商品画像を生成したが、これに限らず、ユーザが別途、保持する画像であって、撮影画像に対応するものに基づいて商品画像を生成することもできる。即ち、ユーザが別途、保存しておいた画像であって、マーカーと共に商品を撮影した画像を読み込み、当該画像について採寸などの一連の処理をかけるようにすることもできる。
【符号の説明】
【００５９】
１    商品販売支援装置
１１    カテゴリー情報記憶部
１２    商品情報記憶部
１３    撮影部
１４    画像生成部
１５    補正処理部
１６    編集部
１７    測定処理部
１８    寸法表示部
１９    調整部
２０    入出力部
２１    通信処理部
２    商品販売支援装置
２２    判別処理部
ＳＶ    ショップサーバ
ＮＷ    ネットワーク
【図１】
2020107015.tif 000003
【図２】
2020107015.tif 000004
【図３】
2020107015.tif 000005
【図４】
2020107015.tif 000006
【図５】
2020107015.tif 000007
【図６】
2020107015.tif 000008
【図７】
2020107015.tif 000009
【図８】
2020107015.tif 000010
【図９】
2020107015.tif 000011
【図１０】
2020107015.tif 000012
【図１１】
2020107015.tif 000013
【図１２】
2020107015.tif 000014